【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
トナー容器の充填を制御するための装置であって、
充填管及びトナー供給部に対して第一容器を充填関係に配置し、前記第一容器にトナーが充填されたら前記第一容器を取り外し、第二容器を前記充填管及び前記トナー供給部に対して充填関係に配置するためのコンベヤと、
充填管に印加される移動磁界を生成して充填管を介してトナー供給部からトナーを移動させて第一容器を充填するために使用される少なくとも３つの磁界生成装置と、を含むことを特徴とするトナー容器の充填制御装置。
【請求項２】
第１の磁界生成装置と、第２の磁界生成装置と、第３の磁界生成装置とを含み、
前記第１の磁界生成装置が、第１の位置で印加される第１の磁界を生成し、これにより、トナーが前記充填管を介して前記トナー供給部から移動するようにトナーを引き付け、
前記第２の磁界生成装置が、第２の位置で印加される第２の磁界を生成し、これにより、前記第１の磁界が除かれたときにトナーが前記充填管を介して前記トナー供給部から移動するようにトナーを引き付け、
前記第３の磁界生成装置が、第３の位置で印加される第３の磁界を生成し、これにより、前記第２の磁界が除かれたときにトナーが前記充填管を介して前記トナー供給部から移動するようにトナーを引き付け、
前記第１の磁界生成装置が、前記第１の位置で印加される第４の磁界を生成し、これにより、前記第３の磁界が除かれたときに前記第１の位置の下の前記充填管内のトナーが前記充填管を介して前記第一容器から移動するようにトナーを引き付ける、請求項１に記載のトナー容器の充填制御装置。
【請求項３】
前記第１の磁界生成装置が、前記第１および前記第４の磁界を生成すべく接続された第１、第２および第３のソレノイドを有し、前記第２の磁界生成装置が、前記第２の磁界を生成すべく接続された前記第２、前記第３および第４のソレノイドを有し、前記第３の磁界生成装置が、前記第３の磁界を生成すべく接続された前記第３、前記第４および第５のソレノイドを有する、請求項２に記載のトナー容器の充填制御装置。
【請求項４】
前記磁界生成装置によって生成された前記磁界が軸方向の磁界であるように前記充填管内に位置された非磁性部材を更に含む、請求項３に記載のトナー容器の充填制御装置。
【請求項５】
第１の磁界生成装置と、第２の磁界生成装置と、第３の磁界生成装置とを含み、該第１の磁界生成装置、該第２の磁界生成装置、該第３の磁界生成装置が、
第１の位置で印加される第１の磁界および第２の位置で印加される第２の磁界を生成すべく接続され、トナーが前記充填管を介して前記トナー供給部から移動するようにトナーを引き付ける第１、第２および第３のソレノイドと、
第３の位置で印加される第３の磁界および第４の位置で印加される第４の磁界を生成すべく接続され、前記第１の磁界および前記第２の磁界が除かれたときトナーが前記充填管を介して前記トナー供給部から移動するようにトナーを引き付ける前記第２、前記第３および第４のソレノイドと、
第５の位置で印加される第５の磁界および第６の位置で印加される第６の磁界を生成すべく接続され、前記第３の磁界および前記第４の磁界が除かれたときトナーが前記充填管を介して前記トナー供給部から移動するようにトナーを引き付ける前記第３、前記第４および第５のソレノイドと、
第１の位置で印加される第７の磁界および第２の位置で印加される第８の磁界を生成すべく接続され、前記第５の磁界および前記第６の磁界が除かれたとき前記第２の位置の下の前記充填管内のトナーが前記充填管を介して前記第一容器に移動するようにトナーを引き付ける前記第１、前記第２および前記第３のソレノイドと、を含む請求項１に記載のトナー容器の充填制御装置。
【請求項６】
前記磁界生成装置によって生成された前記磁界が径方向の磁界であるように前記充填管のチャンネル内に位置された磁性部材を更に含む、請求項５に記載のトナー容器の充填制御装置。
【請求項７】
前記第一容器が除去され、前記第二容器が前記充填管ならびに前記トナー供給部に対して充填関係に配置されているときに前記磁性生成装置の一つが作動されるように前記磁界を制御する手段を更に含む、請求項１に記載のトナー容器の充填制御装置。
【請求項８】
容器の充填を制御するための装置であって、
トナー供給部を備えたホッパと、
第一容器と、
前記ホッパから前記第一容器にトナーが移動する際に通る充填管と、
前記充填管に沿って配置された少なくとも３つのソレノイドであって、前記３つのソレノイドは充填管内に移動磁界を生成してトナーを磁界に引き付け、前記充填管を介して前記ホッパからトナーを移動させるように制御される少なくとも３つのソレノイドと、
トナーを脱磁するための脱磁回路と、
前記第一容器を前記充填管に対して充填関係に移動させ、第一容器にトナーが充填されると前記第一容器を取り外し、第二容器を前記充填管に対して充填関係に移動させるコンベヤと、を含むことを特徴とする容器の充填制御装置。  
【手続補正２】
【補正対象書類名】明細書
【補正対象項目名】０００４
【補正方法】変更
【補正の内容】
【０００４】
【課題を解決するための手段】
本発明の第一の態様において、トナー容器の充填を制御するための装置が、充填管及びトナー供給部に対して第一容器を充填関係に配置し、前記第一容器にトナーが充填されたら前記第一容器を取り外し、第二容器を前記充填管及び前記トナー供給部に対して充填関係に配置するためのコンベヤと、充填管に印加される移動磁界を生成して充填管を介してトナー供給部からトナーを移動させて第一容器を充填するために使用される少なくとも３つの磁界生成装置と、を含む。
【手続補正３】
【補正対象書類名】明細書
【補正対象項目名】０００５
【補正方法】変更
【補正の内容】
【０００５】
本発明の第二の態様において、上記第一の態様の装置が、第１の磁界生成装置と、第２の磁界生成装置と、第３の磁界生成装置とを含み、該第１の磁界生成装置、該第２の磁界生成装置、該第３の磁界生成装置が、第１の位置で印加される第１の磁界および第２の位置で印加される第２の磁界を生成すべく接続され、トナーが前記充填管を介して前記トナー供給部から移動するようにトナーを引き付ける第１、第２および第３のソレノイドと、第３の位置で印加される第３の磁界および第４の位置で印加される第４の磁界を生成すべく接続され、前記第１の磁界および前記第２の磁界が除かれたときトナーが前記充填管を介して前記トナー供給部から移動するようにトナーを引き付ける前記第２、前記第３および第４のソレノイドと、第５の位置で印加される第５の磁界および第６の位置で印加される第６の磁界を生成すべく接続され、前記第３の磁界および前記第４の磁界が除かれたときトナーが前記充填管を介して前記トナー供給部から移動するようにトナーを引き付ける前記第３、前記第４および第５のソレノイドと、第１の位置で印加される第７の磁界および第２の位置で印加される第８の磁界を生成すべく接続され、前記第５の磁界および前記第６の磁界が除かれたとき前記第２の位置の下の前記充填管内のトナーが前記充填管を介して前記第一容器に移動するようにトナーを引き付ける前記第１、前記第２および前記第３のソレノイドと、を含む。
【手続補正４】
【補正対象書類名】明細書
【補正対象項目名】０００６
【補正方法】変更
【補正の内容】
【０００６】
本発明の第三の態様において、容器の充填を制御するための装置が、トナー供給部を備えたホッパと、第一容器と、前記ホッパから前記第一容器にトナーが移動する際に通る充填管と、前記充填管に沿って配置された少なくとも３つのソレノイドであって、前記３つのソレノイドは充填管内に移動磁界を生成してトナーを磁界に引き付け、前記充填管を介して前記ホッパからトナーを移動させるように制御される少なくとも３つのソレノイドと、トナーを脱磁するための脱磁回路と、前記第一容器を前記充填管に対して充填関係に移動させ、第一容器にトナーが充填されると前記第一容器を取り外し、第二容器を前記充填管に対して充填関係に移動させるコンベヤと、を含む。